(57)【特許請求の範囲】
【請求項１】
次亜塩素酸水溶液を希釈して希釈水溶液を得ること、
家畜を飼育する蓄舎内を前記希釈水溶液により殺菌洗浄すること、
前記次亜塩素酸水溶液を蒸散器に流入させ、コンプレッサーによって前記次亜塩素酸水溶液に空気を吹き込んでばっ気することにより、前記空気中に前記次亜塩素酸水溶液を蒸散させて、完全に気化した状態の次亜塩素酸を含む空気を生成すること、
前記畜舎内の空気を、家畜を飼育するケージの上方に設けられたダクトおよび前記ケージの下方に設けられたブロワーによって前記蒸散器内を循環させることで、前記蒸散器で蒸散された次亜塩素酸を含む空気を前記蓄舎内に充満させること
を含むことを特徴とする畜舎の防疫方法。
【請求項２】
前記次亜塩素酸水溶液の濃度は、５００〜５０００ｐｐｍである請求項１記載の畜舎の防疫方法。
【請求項３】
前記希釈水溶液は、前記次亜塩素酸水溶液を２０〜１００倍に希釈したものである請求項２記載の畜舎の防疫方法。
【請求項４】
前記畜舎の開口部に、前記次亜塩素酸を含む空気が前記畜舎外に放散されないようにエアーカーテンを形成することを含む請求項１から３のいずれか１項に記載の畜舎の防疫方法。
【請求項５】
次亜塩素酸水溶液を希釈して希釈水溶液を得る希釈器と、
前記希釈器から家畜を飼育する畜舎内まで配設された配管と、
前記配管に接続され、前記畜舎内を前記希釈水溶液により殺菌洗浄する殺菌洗浄手段と、
前記次亜塩素酸水溶液を流入させ、コンプレッサーによって前記次亜塩素酸水溶液に空気を吹き込んでばっ気することにより、前記空気中に前記次亜塩素酸水溶液を蒸散させ、完全に気化した状態の次亜塩素酸を含む空気を生成する蒸散器と、
前記畜舎内の空気を前記蒸散器内に循環させることで、前記蒸散器によって生成された前記次亜塩素酸を含む空気を前記畜舎内に充満させるための前記蒸散器に設けられたダクトおよびブロワーとを含み、
前記ダクトは、家畜を飼育するケージの上方に設けられ、前記ブロワーは前記ケージの下方に設けられていることを特徴とする畜舎の防疫装置。
【発明の詳細な説明】
【技術分野】
【０００１】
本発明は、鶏、牛や豚などの家畜を飼育する畜舎の防疫方法およびその装置に関する。
【背景技術】
【０００２】
従来、例えば特許文献１に記載の方法により生成された次亜塩素酸水溶液を希釈し、図５に示すように鶏舎の各種殺菌洗浄に用いている。図５に示すように、薬液タンクに入れられた次亜塩素酸水溶液１は希釈器４に導入され、水道水２により希釈されて希釈水溶液とされ、鶏舎内を出入りする作業者の靴底殺菌洗浄６、作業着殺菌洗浄７、鶏舎棚殺菌洗浄８、餌箱の殺菌洗浄９、鶏の飲水の殺菌１０、鶏舎場内を出入りする車両のタイヤの殺菌洗浄１１や鶏舎内のノズル噴霧による殺菌５０等に用いられている。
【０００３】
また、近年、高病原性鳥インフルエンザが新型インフルエンザ（ヒト−ヒト感染型）に変異し、全世界的な感染拡大を起こす危険性が指摘されており、その感染経路の遮断することが望まれている。特に、高病原性鳥インフルエンザが直接感染する可能性がある鶏舎の防疫は、感染拡大を抑止するのに最も効果的である。
【先行技術文献】
【特許文献】
【０００４】
【特許文献１】特許第４５８８１０４号公報
【発明の概要】
【発明が解決しようとする課題】
【０００５】
ところが、高病原性鳥インフルエンザが流行する冬季に、図５に示すように鶏舎内を殺菌消毒するために、鶏舎上部より次亜塩素酸水溶液をノズルより噴霧すると、鶏舎内の温度が低下して、飼育されている鶏が凍死する恐れがある。牛や豚などのその他の家畜を飼育する牛舎や豚舎などの畜舎においても、温度低下により飼育に悪影響を及ぼす恐れがある。
【０００６】
そこで、本発明においては、冬季における家畜のインフルエンザの流行を防止するとともに、温度低下による家畜への悪影響を防止することが可能な畜舎の防疫方法およびその装置を提供することを目的とする。
【課題を解決するための手段】
【０００７】
本発明の畜舎の防疫方法は、次亜塩素酸水溶液を希釈して希釈水溶液を得ること、家畜を飼育する蓄舎内を希釈水溶液により殺菌洗浄すること、次亜塩素酸水溶液を蒸散器に流入させ、蒸散器で蒸散された次亜塩素酸を含む空気を蓄舎内に充満させることを含むことを特徴とする。
【０００８】
また、本発明の畜舎の防疫装置は、次亜塩素酸水溶液を希釈して希釈水溶液を得る希釈器と、希釈器から家畜を飼育する畜舎内まで配設された配管と、配管に接続され、畜舎内を希釈水溶液により殺菌洗浄する殺菌洗浄手段と、次亜塩素酸水溶液を流入させて蒸散させ、次亜塩素酸を含む空気を生成する蒸散器と、蒸散器によって生成された次亜塩素酸を含む空気を畜舎内に充満させるダクトとを含むものである。
【０００９】
これらの発明によれば、蒸散器によって生成された次亜塩素酸を含む空気を畜舎内に充満させることによって、畜舎内の温度低下を防止しつつ、冬季における家畜のインフルエンザの流行を防止することができるほか、畜舎内の臭気をも抑えることができる。
【００１０】
ここで、次亜塩素酸水溶液の濃度は、５００〜５０００ｐｐｍであることが望ましい。これにより、経済性良く畜舎の防疫を行うことが可能となる。なお、５００ｐｐｍ未満の薄い濃度の状態では、あまり希釈倍率が取れないので、原液としての次亜塩素酸水溶液を多く使うことになり、コスト高となる。一方、５０００ｐｐｍ超では、大気にさらすと次亜塩素酸濃度が著しく低下するので、製造コストが高い割には稀釈倍率がそれほど多く取れず、経済性が悪くなる。
【００１１】
また、希釈水溶液は、次亜塩素酸水溶液を２０〜１００倍に希釈したものであることが望ましい。これにより、経済性良く畜舎の防疫を行うことが可能となる。なお、２０倍未満では、原液を多く使うことによりコスト高となる。一方、１００倍超では、殺菌効果が少なくなる。
【００１２】
また、畜舎の開口部には、次亜塩素酸を含む空気が畜舎外に放散されないようにエアーカーテンを形成することが望ましい。これにより、塩素系殺菌剤を蒸散させた空気が畜舎の外に漏れるのを防止し、畜舎内に塩素系殺菌剤を蒸散させた空気を充満させることが可能となる。
【発明の効果】
【００１３】
（１）次亜塩素酸水溶液を希釈して希釈水溶液を得て、家畜を飼育する蓄舎内を希釈水溶液により殺菌洗浄し、次亜塩素酸水溶液を蒸散器に流入させ、蒸散器で蒸散された次亜塩素酸を含む空気を蓄舎内に充満させる構成により、畜舎内の温度低下を防止しつつ、冬季における家畜のインフルエンザの流行を防止することができる。特に、鶏の凍死を防止することができる。また、畜舎内の臭気をも抑えることができる。
【００１４】
（２）畜舎の開口部に、次亜塩素酸を含む空気が畜舎外に放散されないようにエアーカーテンを形成することにより、塩素系殺菌剤を蒸散させた空気が畜舎の外に漏れるのを防止して、畜舎内に塩素系殺菌剤を蒸散させた空気を充満させることにより、畜舎内を効率良く防疫することが可能となる。
【図面の簡単な説明】
【００１５】
【図１】本発明の実施の形態における鶏舎の防疫装置の構成を示すブロック図である。
【図２】本発明の実施の形態における鶏舎の概略構成を示す断面図である。
【図３】本発明の実施の形態における鶏舎の一部詳細断面図である。
【図４】図３の平面断面図である。
【図５】従来の鶏舎の防疫装置の構成を示すブロック図である。
【発明を実施するための形態】
【００１６】
図１は本発明の実施の形態における鶏舎の防疫装置の構成を示すブロック図、図２は本発明の実施の形態における鶏舎の概略構成を示す断面図、図３は本発明の実施の形態における鶏舎の一部詳細断面図、図４は図３の平面断面図である。
【００１７】
図１に示すように、本発明の実施の形態における家禽としての鶏を飼育する畜舎としての鶏舎２０（図２参照。）の防疫装置は、次亜塩素酸水溶液１を水道水２により希釈して希釈水溶液を得る希釈器４と、次亜塩素酸水溶液１に空気３を吹き込んでばっ気させることで、空気中に次亜塩素酸を蒸散させる蒸散器５とを備える。ここで、蒸散とは、空気中に蒸発させて、発散させることであり、蒸散させた次亜塩素酸は完全に気化した状態で空気中に含まれる。
【００１８】
次亜塩素酸水溶液１は、次亜塩素酸ナトリウム水溶液と塩酸とから調製されたｐＨが２．０〜７．５のものであり、図２に示すように、薬液タンク２１に収容されている。薬液タンク２１内の次亜塩素酸水溶液１の濃度は、５００〜５０００ｐｐｍである。薬液タンク２１から希釈器４まで接続された配管２２ａの途中にはバルブ１３が設けられている。また、薬液タンク２１から蒸散器５まで接続された配管２２ｂの途中には薬液ポンプ１４が設けられている。
【００１９】
希釈器４は、次亜塩素酸水溶液１を水道水２により２０〜１００倍に希釈して、希釈水溶液を得るものである。なお、次亜塩素酸水溶液１の希釈には、水道水２以外の水を使用することも可能である。また、希釈器４から鶏舎２０まで、希釈水溶液を送る配管２４が配設されている。また、配管２４の先には、鶏舎２０内を希釈水溶液により殺菌洗浄する殺菌洗浄手段４０が接続されており、この殺菌洗浄手段４０により、図１に示すように、靴底殺菌洗浄６、作業着殺菌洗浄７、鶏舎棚殺菌洗浄８、餌箱の殺菌洗浄９、飲水の殺菌１０や車両タイヤの殺菌洗浄１１等が行われる。
【００２０】
蒸散器５には、図２に示すように、薬液タンク２１から薬液ポンプ１４により配管２２ｂを通じて次亜塩素酸水溶液１が送り込まれ、この次亜塩素酸水溶液１にコンプレッサー２６から空気３が吹き込まれ、ばっ気させることにより、空気３中に次亜塩素酸水溶液１が蒸散し、次亜塩素酸を含む空気が生成される。また、蒸散器５には、ダクト２７およびブロワー２８が設けられている。ダクト２７は、鶏を飼育する飼育ケージ２９の上方に設けられており、ブロワー２８は飼育ケージ２９の下方に設けられている。これにより、鶏舎２０内の空気をダクト２７およびブロワー２８によって蒸散器５内を循環させることで、蒸散器５により生成された次亜塩素酸を含む空気を鶏舎２０内に充満させ、次亜塩素酸を含む空気による鶏舎２０内の殺菌消臭１２（図１参照。）を行う。また、蒸散器５内にコンプレッサー２６、ブロワー２８を設けることもできる。
【００２１】
また、鶏舎２０には、図３および図４に示すように、一部に開口部としての窓３０が形成されており、鶏舎２０内外で空気が出入り可能となっている。そこで、本実施形態における防疫装置は、各窓３０に鶏舎２０の内外の空気の出入りを遮断するエアーカーテン３１を形成するエアーカーテン装置が備えられている。エアーカーテン装置は、各窓３０に設けられ、空気を噴射してエアーカーテン３１を形成するエアーパイプ３２と、エアーパイプ３２に空気を供給するエアー源３３と、エアーパイプ３２とエアー源３３とを接続する配管３４とから構成されている。なお、エアー源３３としては、蒸散器５やブロワー２８を利用することも可能である。
【００２２】
この鶏舎２０では、鶏舎２０の内外の空気が出入りする各窓３０の全てに対してエアーパイプ３２によりエアーを噴出してエアーカーテン３１を形成し、各窓３０を遮断することにより、前述の次亜塩素酸を含む空気が鶏舎２０の外に漏れるのを防止して、鶏舎２０内に次亜塩素酸を含む空気を充満させ、鶏舎２０内を効率良く防疫することができる。
【００２３】
なお、本実施形態における防疫装置は、鶏舎２０以外にも、牛や豚などの家畜を飼育する牛舎や豚舎などの畜舎であって、一部が窓により開放された畜舎にも同様に適用可能である。
【産業上の利用可能性】
【００２４】
本発明の畜舎の防疫方法およびその装置は、鶏、牛や豚などの家畜を飼育する畜舎であって、一部が窓により開放された畜舎の防疫に有用である。
【符号の説明】
【００２５】
１  次亜塩素酸水溶液
２  水道水
３  空気
４  希釈器
５  蒸散器
６  靴底殺菌洗浄
７  作業着殺菌洗浄
８  鶏舎棚殺菌洗浄
９  餌箱の殺菌洗浄
１０  飲水の殺菌
１１  車両タイヤの殺菌洗浄
１２  次亜塩素酸を含む空気による鶏舎内の殺菌消臭
１３  バルブ
１４  薬液ポンプ
２０  鶏舎
２１  薬液タンク
２２ａ，２２ｂ  配管
２４  配管
２６  コンプレッサー
２７  ダクト
２８  ブロワー
２９  飼育ケージ
３０  窓
３１  エアーカーテン
３２  エアーパイプ
３３  エアー源
３４  配管
４０  殺菌洗浄手段
５０  鶏舎内のノズル噴霧による殺菌
【図１】
0005996503.tif 000002
【図２】
0005996503.tif 000003
【図３】
0005996503.tif 000004
【図４】
0005996503.tif 000005
【図５】
0005996503.tif 000006